(57)【要約】【課題】  ファンモータ自体に設けられるファン駆動用のコイルで発生した熱がファンモータ内で溜まることを防止して、回転性能を向上させる。【解決手段】  ステータ１０と、ステータ１０に対して軸２１を中心として回転するロータ２０と、ロータ２０とともに回転する複数の羽根部材４を有するファン３と、ステータ１０に取り付けられるコイル１３と、ロータ２０に取り付けられ、コイル１３に対して磁界を発生させるマグネット２７とを備え、ロータ２０は、コイル１３及びマグネット２７を囲むように軸２１を中心とした円筒形状の円筒部２４と、円筒部２４の一端側の開口部に設けられる一端面部である天板部２５とからなるカップ状のロータハウジング２３を有し、天板部２５には、カップ状のロータハウジング２３の内側及び外側を流通させる複数の貫通孔３０が設けられ、複数の貫通孔３０は、内側から外側に向けて孔の大きさが大きくなるようにテーパが設けられている。【選択図】  図３
2010001839.tif 000002
【特許請求の範囲】
【請求項１】
ステータと、
上記ステータに対して軸を中心として回転するロータと、
上記ロータとともに回転する複数の羽根部材を有するファンと、
上記ステータに取り付けられるコイルと、
上記ロータに取り付けられ、上記コイルに対して磁界を発生させるマグネットとを備え、
上記ロータは、上記コイル及び上記マグネットを囲むように上記軸を中心とした円筒形状の円筒部と、上記円筒部の一端側の開口部に設けられる一端面部とからなるカップ状のロータハウジングを有し、
上記ロータハウジングの上記一端面部には、上記カップ状のロータハウジングの内側及び外側を流通させる複数の貫通孔が設けられ、
上記複数の貫通孔は、上記内側から上記外側に向けて孔の大きさが大きくなるようにテーパが設けられているファンモータ。
【請求項２】
上記ロータハウジングの上記一端面部の上記内側の面には、上記貫通孔を介して上記外側から上記内側に流通された気体を上記ロータハウジング内で対流させる複数の立ち上がり壁が設けられている請求項１記載のファンモータ。
【請求項３】
上記各貫通孔は、その縁部の孔形状が略円形状に形成され、
上記立ち上がり壁は、上記一端面部の上記内側の面に軸方向に向けて立ち上がり形成されるとともに、上記各貫通孔の縁部に沿った円筒形状を切断することにより得られる形状で、且つ、上記形成方向に直交する断面形状が半径方向に所定の幅を有する略円弧形状となるように形成されている請求項２記載のファンモータ。
【請求項４】
上記立ち上がり壁は、上記各貫通孔毎に設けられるとともに、上記軸に直交する断面形状において、上記各貫通孔の縁部のうち、上記ロータの回転方向の最も後方に位置する部分に沿って形成される基端部から、上記基端部に対して回転方向前方側に位置する先端部に至るまで、上記貫通孔の縁部の孔形状より大きな円形状の半径よりも大きな曲率を有して回転方向前方側に向けた湾曲形状となるように形成されている請求項２記載のファンモータ。
【請求項５】
上記ロータハウジングの上記一端面部の上記内側の面には、上記各貫通孔をそれぞれ包囲するように形成された複数の溝部が設けられ、
上記複数の溝部は、それぞれ上記立ち上がり壁の外側に、又は上記立ち上がり壁と上記貫通孔との間に設けられている請求項３又は請求項４記載のファンモータ。
【請求項６】
上記ロータハウジングの上記一端面部の上記外側の面には、テーパを有して形成された環状の凹部が設けられ、
上記貫通孔は、上記環状の凹部が設けられた範囲内に位置して設けられている請求項１記載、請求項３又は請求項４のファンモータ。
【請求項７】
上記ロータハウジングの上記一端面部の上記外側の面には、テーパを有して形成された複数の凹部が設けられ、
上記貫通孔は、それぞれ上記複数の凹部内に位置して設けられている請求項１、請求項３又は請求項４記載のファンモータ。
【請求項８】
上記ロータハウジングの上記一端面部の上記外側の面には、テーパを有して形成された円形状の凸部が設けられ、
上記貫通孔は、上記円形状の凸部のテーパが設けられた領域の外側に近接した位置に設けられている請求項１、請求項３又は請求項４記載のファンモータ。
【請求項９】
上記立ち上がり壁は、上記各貫通孔の縁部のうち、上記軸の半径方向の線により分割された半円のうち上記ロータの回転方向の後方に位置する側の半円の円弧の部分、若しくはこの基準となる円弧に対して上記基準となる円弧の両端部のうち上記軸に近接する側の端部が上記回転方向の後方側に位置する円弧の部分、若しくは上記基準となる円弧に対して上記基準となる円弧の両端部のうち上記軸から離間する側の端部が上記回転方向の前方側に位置する円弧の部分、若しくは上記基準となる円弧に対して上記基準となる円弧の両端部のうち上記軸に近接する側の端部が上記回転方向の後方側に位置するとともに上記基準となる円弧の両端部のうち上記軸から離間する側の端部が上記回転方向の前方側に位置する円弧の部分に、沿って形成されている請求項３記載のファンモータ。
【請求項１０】
上記ロータハウジングの上記一端面部の上記内側の面には、上記各貫通孔をそれぞれ包囲するように形成された複数の溝部が設けられ、
上記溝部は、各溝部の形成方向の断面形状が略Ｖ字状となるように形成されている請求項１記載又は請求項２記載のファンモータ。
【請求項１１】
ステータと、
上記ステータに対して軸を中心として回転するロータと、
上記ロータとともに回転する複数の羽根部材を有するファンと、
上記ステータに取り付けられるコイルと、
上記ロータに取り付けられ、上記コイルに対して磁界を発生させるマグネットとを備え、
上記ロータは、上記コイル及び上記マグネットを囲むように上記軸を中心とした円筒形状の円筒部と、上記円筒部の一端側の開口部に設けられる一端面部とからなるカップ状のロータハウジングを有し、
上記ロータハウジングの上記一端面部には、上記カップ状のロータハウジングの内側及び外側を流通させる複数の貫通孔が設けられ、
上記ロータハウジングの上記一端面部の上記内側の面には、上記貫通孔を介して上記外側から上記内側に流通された気体を上記ロータハウジング内で対流させる複数の立ち上がり壁が設けられているファンモータ。
【請求項１２】
上記各貫通孔は、その縁部の孔形状が略円形状に形成され、
上記立ち上がり壁は、上記一端面部の上記内側の面に軸方向に向けて立ち上がり形成されるとともに、上記各貫通孔の縁部に沿った円筒形状を切断することにより得られる形状で、且つ、上記形成方向に直交する断面形状が半径方向に所定の幅を有する略円弧形状となるように形成されている請求項１１記載のファンモータ。
【請求項１３】
上記立ち上がり壁は、上記各貫通孔毎に設けられるとともに、上記軸に直交する断面形状において、上記各貫通孔の縁部のうち、上記ロータの回転方向の最も後方に位置する部分に沿って形成される基端部から、上記基端部に対して回転方向前方側に位置する先端部に至るまで、上記貫通孔の縁部の孔形状より大きな円形状の半径よりも大きな曲率を有して回転方向前方側に向けた湾曲形状となるように形成されている請求項１１記載のファンモータ。
【請求項１４】
上記立ち上がり壁は、上記各貫通孔の縁部のうち、上記軸の半径方向の線により分割された半円のうち上記ロータの回転方向の後方に位置する側の半円の円弧の部分、若しくはこの基準となる円弧に対して上記基準となる円弧の両端部のうち上記軸に近接する側の端部が上記回転方向の後方側に位置する円弧の部分、若しくは上記基準となる円弧に対して上記基準となる円弧の両端部のうち上記軸から離間する側の端部が上記回転方向の前方側に位置する円弧の部分、若しくは上記基準となる円弧に対して上記基準となる円弧の両端部のうち上記軸に近接する側の端部が上記回転方向の後方側に位置するとともに上記基準となる円弧の両端部のうち上記軸から離間する側の端部が上記回転方向の前方側に位置する円弧の部分に、沿って形成されている請求項１２記載のファンモータ。
【請求項１５】
筐体内部に空気流を発生させて筐体内部で発生する熱を放熱するファンモータを備え、
上記ファンモータは、
ステータと、
上記ステータに対して軸を中心として回転するロータと、
上記ロータとともに回転する複数の羽根部材を有するファンと、
上記ステータに取り付けられるコイルと、
上記ロータに取り付けられ、上記コイルに対して磁界を発生させるマグネットとを備え、
上記ロータは、上記コイル及び上記マグネットを囲むように上記軸を中心とした円筒形状の円筒部と、上記円筒部の一端側の開口部に設けられる一端面部とからなるカップ状のロータハウジングを有し、
上記ロータハウジングの上記一端面部には、上記カップ状のロータハウジングの内側及び外側を流通させる複数の貫通孔が設けられ、
上記複数の貫通孔は、上記内側から上記外側に向けて孔の大きさが大きくなるようにテーパが設けられている電子機器。
【請求項１６】
筐体内部に空気流を発生させて筐体内部で発生する熱を放熱するファンモータを備え、
上記ファンモータは、
ステータと、
上記ステータに対して軸を中心として回転するロータと、
上記ロータとともに回転する複数の羽根部材を有するファンと、
上記ステータに取り付けられるコイルと、
上記ロータに取り付けられ、上記コイルに対して磁界を発生させるマグネットとを備え、
上記ロータは、上記コイル及び上記マグネットを囲むように上記軸を中心とした円筒形状の円筒部と、上記円筒部の一端側の開口部に設けられる一端面部とからなるカップ状のロータハウジングを有し、
上記ロータハウジングの上記一端面部には、上記カップ状のロータハウジングの内側及び外側を流通させる複数の貫通孔が設けられ、
上記ロータハウジングの上記一端面部の上記内側の面には、上記貫通孔を介して上記外側から上記内側に流通された気体を上記ロータハウジング内で対流させる複数の立ち上がり壁が設けられている電子機器。
【発明の詳細な説明】
【技術分野】
【０００１】
本発明は、電子機器等に用いられ放熱等のための送風を行うファンモータ及びこれを用いた電子機器に関する。
【背景技術】
【０００２】
従来より、コンピュータや画像表示装置等の電子機器には、電子機器の内部に設けられたＣＰＵ等の電子部品を冷却するためにファンモータが設けられている。
【０００３】
かかるファンモータは、コイルを有するステータと、マグネットを有するロータとを備え、このコイルに通電することによりステータに対して軸を中心にロータを回転させる。また、ファンモータは、このロータに取り付けられるファンを有し、ロータと一体にこのファンを回転させることにより、電子機器内部の空気を送風して空気流を発生させ、電子機器の筐体内部で発生する熱を外部に排出することで電子機器の放熱を行うものである。
【０００４】
このような従来のファンモータにおいて、電子機器内部を冷却するために、ロータを回転させる際に、コイルに電流を供給することにより、ファンモータ自体のこのコイルに熱が発生することとなる。
【０００５】
このようなコイルで発生する熱は、ステータのハウジング等を介して伝熱させてファンモータのケースから放熱することとなるが、コイルに供給される電流の大きさに比例した熱が発生する。そのため、供給電流の大きさが大きくなるにつれて、ファンモータ自体で発生する熱が大きくなり、電子機器に対する放熱性能を低下させてしまうという問題があった。
【０００６】
また、コイルで発生する熱が、ステータハウジング等を介して放出する熱よりも大きい場合には、コイルが設けられたステータ及びロータ部分に熱が溜まりこの部分の温度が上昇することとなり、コイルの使用温度範囲を超えることを防止する必要がある。このようなコイルの使用温度範囲の制限により、コイルに通電可能な電流値が制限されることとなり、ファンモータとしての高出力を得るための大きな電流を流すことができないため、ファンモータの回転性能、冷却性能が一定の制限を受けるという問題があった。
【０００７】
【特許文献１】特開２００５−２４８７３４号公報
【発明の開示】
【発明が解決しようとする課題】
【０００８】
本発明の目的は、ファンモータ自体に設けられるファン駆動用のコイルで発生した熱がファンモータ内で溜まることを防止することにより、回転性能を向上させることができるファンモータ及びこれを用いた電子機器を提供することにある。
【課題を解決するための手段】
【０００９】
本発明に係るファンモータは、ステータと、上記ステータに対して軸を中心として回転するロータと、上記ロータとともに回転する複数の羽根部材を有するファンと、上記ステータに取り付けられるコイルと、上記ロータに取り付けられ、上記コイルに対して磁界を発生させるマグネットとを備え、上記ロータは、上記コイル及び上記マグネットを囲むように上記軸を中心とした円筒形状の円筒部と、上記円筒部の一端側の開口部に設けられる一端面部とからなるカップ状のロータハウジングを有し、上記ロータハウジングの上記一端面部には、上記カップ状のロータハウジングの内側及び外側を流通させる複数の貫通孔が設けられ、上記複数の貫通孔は、上記内側から上記外側に向けて孔の大きさが大きくなるようにテーパが設けられている。
【００１０】
また、本発明に係るファンモータは、ステータと、上記ステータに対して軸を中心として回転するロータと、上記ロータとともに回転する複数の羽根部材を有するファンと、上記ステータに取り付けられるコイルと、上記ロータに取り付けられ、上記コイルに対して磁界を発生させるマグネットとを備え、上記ロータは、上記コイル及び上記マグネットを囲むように上記軸を中心とした円筒形状の円筒部と、上記円筒部の一端側の開口部に設けられる一端面部とからなるカップ状のロータハウジングを有し、上記ロータハウジングの上記一端面部には、上記カップ状のロータハウジングの内側及び外側を流通させる複数の貫通孔が設けられ、上記ロータハウジングの上記一端面部の上記内側の面には、上記貫通孔を介して上記外側から上記内側に流通された気体を上記ロータハウジング内で対流させる複数の立ち上がり壁が設けられている。
【００１１】
また、本発明に係る電子機器は、筐体内部に空気流を発生させ筐体内部で発生する熱を放熱するファンモータを備えるものであって、この電子機器に用いるファンモータとして、上述したようなものを用いたものである。
【発明の効果】
【００１２】
本発明は、従来カップ状のハウジングによりコイルが設けられた部分が覆われていたことでコイルで発生した熱が溜まることにより回転性能が低下する等の問題を解消できるものである。すなわち、本発明は、カップ状のロータハウジングの一端面部に設けた複数の貫通孔により効率的に空気をロータハウジング内に循環させることにより、ロータハウジング内部にコイルで発生した熱が溜まることを防止する。これにより、本発明は、コイルの温度上昇を防止して回転性能を高く保持することを実現する。
【００１３】
また、本発明は、カップ状のロータハウジングの一端面部に設けた複数の貫通孔、及び一端面部の内側の面に設けた複数の立ち上がり壁により効率的に空気をロータハウジング内に循環させることにより、ロータハウジング内部にコイルで発生した熱が溜まることを防止する。これにより、本発明は、コイルの温度上昇を防止して回転性能を高く保持することを実現する。
【発明を実施するための最良の形態】
【００１４】
以下、本発明が適用されたファンモータ１について、図面を参照して説明する。
【００１５】
本発明が適用されたファンモータ１は、図１及び図２に示すように、本体ケース２内に設けられる複数の羽根部材４からなるファン３を備える。また、ファンモータ１は、図３に示すように、このファン３が取り付けられるロータ２０と本体ケース２に取り付けられるステータ１０とからなり、ファン３を本体ケース２に対して回転させる駆動手段としてのモータ部５とを備える。
【００１６】
駆動手段としてのモータ部５は、ステータ１０に対して軸２１を中心として所定の回転方向Ｒにロータ２０を回転させることで、本体ケース２に取り付けられたステータ１０に対して、ロータ２０の外周に取り付けられたファン３を回転駆動させる。
【００１７】
ファン３を構成する複数の羽根部材４は、ロータ２０の外周に並べて配置されている。ファン３は、ロータ２０の回転によって、ロータ２０と一体に回転され本体ケース２の内部流体である空気を軸方向へ送風することができる。
【００１８】
ステータ１０が固定される本体ケース２には、ロータ２０に対して軸方向の一方側の位置に、すなわち例えば本体ケース２の上面部６に吸気口となる開口部８が設けられている。また、本体ケース２には、軸方向の他方側の位置に、すなわち例えば本体ケース２の下面部７に排気口となる開口部９が設けられている。
【００１９】
かかるファンモータ１は、モータ部５のロータ２０及びこれに固定されたファン３を、本体ケース２及びこれに固定されたステータ１０に対して回転させる。これにより、ファンモータ１は、図１に示すように、開口部８から軸方向に空気を吸い込むとともに、吸い込んだ空気をファン３で軸方向に送り出し、開口部９から軸方向に排出することとなる。
【００２０】
尚、ここでは、上述のように軸方向の一方から吸気するとともに軸方向の他方に向けて排気するような所謂軸流ファンとしてファンモータ１を構成した例について説明するが、本発明はこれに限られるものではない。すなわち、本発明は、軸方向から吸気するとともに遠心方向に空気を送風して排気するようなファンを設けることにより、所謂遠心ファン（シロッコファン）に適用してもよい。
【００２１】
次に、上述したファンを回転駆動させる、ファンモータ１を構成するモータ部５について詳細に説明する。
【００２２】
モータ部５は、図３に示すように、本体ケース２に固定されるステータ１０と、ステータ１０に対して回転軸である軸２１を中心に回転されるロータ２０とから構成される。この軸２１は、ロータ２０と一体となるようにされ、所謂回転軸として構成されている。また、このモータ部５には、駆動回路部等の様々な電子部品が設けられた基板５ａが設けられている。
【００２３】
ステータ１０は、そのステータハウジング１１が本体ケース２の下面部７に一体となるように取り付けられて固定されている。ステータ１０は、ロータ２０側に設けられた回転軸である軸２１の支持を行う軸受ユニット１２と、駆動電流が供給されるコイル１３と、コイルが巻回される鉄心１４とを備えている。軸受ユニット１２は、ステータハウジング１１の中心部に筒状に突出して形成されたホルダー１５内に圧入若しくは接着、又は圧入と接着を行うことにより固定されている。
【００２４】
そして、ステータハウジング１１に一体に固定された軸受ユニット１２の外周部であるホルダー１５の外側には、コイル１３が巻回された鉄心１４が取り付けられている。
【００２５】
この軸受ユニット１２は、回転軸である軸２１の周回り方向の支持を行うラジアル軸受１６と、ラジアル軸受１６に支持された軸２１のスラスト方向の一端部に設けた軸受支持部２２を回転可能に支持するスラスト軸受１７とを有する。
【００２６】
ラジアル軸受１６は、軸２１の周回り方向の支持を行う滑り軸受である。ここで、ラジアル軸受１６を滑り軸受としたが、これに限られるものではなく、例えば、燒結含油軸受、動圧流体軸受であってもよい。スラスト軸受１７は、円弧状若しくは先細り状に形成された回転軸の軸受支持部を点で支持するピボット軸受として形成されている。
【００２７】
軸受ユニット１２は、ラジアル軸受１６及びスラスト軸受１７により、軸２１を回転自在に周回り方向及びスラスト方向の支持を行う。
【００２８】
ステータ１０とともにモータ部５を構成するロータ２０は、軸受ユニット１２に回転可能に支持された軸２１に取り付けられ、この回転軸である軸２１と一体に回転する。
【００２９】
ロータ２０は、軸２１を中心として円筒形状に形成された円筒部２４と、この円筒部２４の一端側の開口部に設けられる一端面部としての天板部２５とからなるカップ状のロータハウジング２３とを有する。また、ロータ２０は、ロータハウジング２３の内周面に設けられる磁性ヨーク２６と、この磁性ヨーク２６のさらに内周面に設けられるロータマグネット２７とを有する。このロータハウジング２３の外周面には、上述したように、ロータハウジング２３と一体に回転する複数の羽根部材４を有するファン３が取り付けられることにより、又は一体に成形されることにより、一体に形成される。尚、この複数の羽根部材４は、ロータハウジング２３の外周面にアウトサート成形することにより、一体成形される。また、複数の羽根部材４を別体にて設ける場合には、複数の羽根部材４を円筒状のボス部の外周面に形成し、このボス部の貫通孔内にロータハウジング２３を圧入することにより複数の羽根部材をロータハウジング２３と一体に形成される。
【００３０】
ロータハウジング２３に取り付けられた磁性ヨーク２６の内周面に設けられた、リング状のロータマグネット２７は、軸２１の周回り方向にＳ極とＮ極とが交互に着磁されたマグネットである。このロータマグネット２７は、例えば接着剤等により磁性ヨーク２６の内周面に固定されロータマグネット２７と一体とされている。また、上述のコイル１３が巻回された鉄心１４は、このロータマグネット２７に対して回転軸の半径方向に対向することとなる。
【００３１】
上述のような構成を備えたモータ部５において、ステータ１０側のコイル１３に、モータ部５の基板５ａに設けた駆動回路部から所定の通電パターンにより駆動電流が供給される。これにより、モータ部５は、コイル１３に発生する磁界とロータ２０側のロータマグネット２７からの磁界との作用によって、ロータ２０が軸２１と一体に回転する。ロータ２０が回転することにより、このロータ２０に取り付けられた複数の羽根部材４からなるファン３もロータ２０と一体に回転する。
【００３２】
ファンモータ１は、ファン３が回転されることにより、本体ケース２内部の空気を開口部８から吸引し、開口部９から排出することでこのファンモータ１が設けられる電子機器内に空気流を発生させる。これにより、ファンモータ１は、後述のように電子機器の筐体内に設けたヒートシンク中を流通して筐体の外部に排気されることにより、電子機器の発熱部品等から発生する熱を電子機器の外部に放熱し、電子機器を冷却する。
【００３３】
具体的に、かかるファンモータ１は、例えば、図４に示すようなコンピュータや画像表示装置等の電子機器１００の内部に設けられる。この電子機器１００は、電子機器１００の外部より内部に空気を流入させるための吸気口１０１とこの吸気口１０１から流入した空気を電子機器１００の外部に流出する排気口１０２を有する筐体１０３を備える。また、電子機器１００は、この筐体１０３の内部にプロセッサやビデオメモリ等の発熱部品１０４と、上述したファンモータ１とを備えている。
【００３４】
電子機器１００に設けられたファンモータ１は、ファン３を矢印Ｒ方向に回転させる。そして回転されたファン３は、開口部８から軸方向に空気をファンモータ１内部に吸い込むとともに、開口部９から軸方向に空気を排出することで、電子機器１００の筐体１０３内部に空気流を発生させる。換言すると、ファンモータ１は、ファン３を回転させることにより、一方向に向けて空気を送風することができる。
【００３５】
かかるファンモータ１を備える電子機器１００は、ファンモータ１により発生された空気流により、図４中矢印Ｄに示すように、電子機器１００の外部の空気を吸気口１０１から内部に流入させることができる。それとともに、電子機器１００は、この発生された空気流により、電子機器１００の内部の空気を排気口１０２から外部に流出させることができる。このように、電子機器１００は、ファンモータ１によって、一方向に向けて空気を送風することにより、吸気口１０１から排気口１０２への空気流を発生させる。そして、電子機器１００は、発熱部品１０４から発生した熱を電子機器１００の外部に放熱させて電子機器１００の内部を冷却することができる。すなわち、電子機器１００は、筐体１０３内部に空気流を発生させて筐体１０３内部で発生する熱を放熱するファンモータ１を備えることにより、電子機器１００内部の各種部品が発熱部品１０４の発熱により温度上昇されてしまうことを防止する。そして、電子機器１００は、かかるファンモータ１の冷却性能により、電子機器１００内部を常に適正な温度に保ち、電子機器１００としての性能を常に発揮することを実現できる。
【００３６】
ところで、上述したロータハウジング２３の一端面部である天板部２５には、図２及び図３に示すように、カップ状に形成されたロータハウジング２３の内側及び外側を空気が流通可能なように形成される複数の貫通孔３０が設けられる。尚、ここでは図示しないが、この天板部２５には必要に応じてロータハウジング２３の回転時のバランスを確保するためのバランサとして機能する複数の凹部を設けるように構成してもよい。
【００３７】
天板部２５を貫通するように設けられる貫通孔３０は、その孔の軸２１の軸方向の断面が略円形状に形成されているとともに、ロータハウジング２３の内側から外側に向けてそれぞれの断面形状における孔の大きさが大きくなるようにテーパ状に形成されている。この貫通孔３０が設けられていない場合には、ロータハウジング２３内部の空気が循環しないことにより、このロータハウジング２３内部に設けられたコイル１３の通電により発生した熱がロータハウジング２３内で溜まるという問題がある。これに対し、貫通孔３０は、ロータハウジング２３の内側及び外側を流通可能なように設けられていたことにより、ロータハウジング２３内部の空気がこの貫通孔３０と、円筒部２４の他端側の開口部とにより循環させることを可能とする。このように、貫通孔３０は、開口部８からファンモータ１内に吸い込んだ空気の一部をロータハウジング２３内に取り込む空気流通孔として機能する。すなわち、この貫通孔３０は、ロータハウジング２３内部に熱が溜まること、及びこのロータハウジング２３内部に熱が溜まることによりファンモータ１自体に熱が溜まることを防止する機能を有している。
【００３８】
さらに、上述のようにテーパ状に形成された貫通孔３０は、流体の特性から、ロータハウジング２３の外側に存在する空気をロータハウジング２３の内側に向けて流入させやすいようにする機能を有している。そして、このような貫通孔３０は、本体ケース２の上面部６に設けられた開口部８から吸気するとともに、ファン３により下面部７に設けられた開口部９から排気するという構成とされたファンモータ１に設けられることで、その機能をさらに発揮する。すなわち、貫通孔３０は、第１の開口部８から軸方向下側であってロータハウジング２３側に向けた図１及び図３中矢印Ａ方向の空気流が発生する構成において、以下のような空気流（矢印Ｂ方向）を発生させることができる。このように、貫通孔３０は、そのロータハウジング２３の外側に存在する空気を内側に向けて、図中矢印Ｂ方向に導いて流入させやすい機能により、ロータハウジング２３内の空気循環を効率的に行うことを可能とする。
【００３９】
この貫通孔３０の機能についてさらに説明する。ロータハウジング２３のようなカップ状のロータハウジングにおいて、貫通孔の大きさや数を増やすことで、ロータハウジングの内外の循環機能が増加して放熱効果を増大できると考えられる。しかし、ロータハウジングにおいて、複数の羽根部材からなるファンを保持し、高速で回転される点を考慮すると孔径の拡大や孔数の増大は、機械的強度低下を考慮すると限界がある。また、これを解消するためにロータハウジングの厚みを増加させると、ファンモータとしての装置全体の小型化や軽量化を妨げ、このファンモータを備える電子機器の大型化や重量増加等の問題を招来するおそれがある。
【００４０】
上述したようなテーパ状に形成された貫通孔３０は、ロータハウジング２３が強度部材であり孔数や孔径をあまり増加することが困難であるという観点から、所定の同じ孔径や孔数で比較したときに、より効率的に送風、空気循環を行うことを可能とするものである。また、テーパ状に形成された貫通孔３０は、ここで説明したような問題を解消して、ファンモータとして簡易な構成で、効率的にロータハウジング２３内部及びファンモータ１自体の温度上昇を防止することができる。
【００４１】
また、このような貫通孔３０が設けられたロータハウジング２３の天板部２５には、その内側の面２５ａに、貫通孔３０を介してロータハウジング２３の外側から内側に流通された空気を軸２１側に向けるように誘導する複数の立ち上がり壁３２が設けられている。
この立ち上がり壁３２は、例えば、図３、図５及び図６に示すように、天板部２５の内側の面２５ａにおいて、略円形状に形成された各貫通孔３０の縁部３０ａに沿って形成されている。
【００４２】
図５及び図６に示すように、立ち上がり壁３２は、天板部２５に対して直交する方向、すなわち軸方向に立ち上がり形成されているが、その立ち上がり方向である形成方向に直交する断面形状が所定の幅を有する略円弧形状となるように形成されている。すなわち、立ち上がり壁３２は、各貫通孔３０の縁部３０ａに沿った略円筒形状をこの円筒形状の略半径方向及び立ち上がり壁の形成方向（立ち上がり方向）を含む２つの切断面Ｃ１，Ｃ２で切断したような形状に形成されている（図７（ａ）参照）。尚、ここでは、略円筒形状をＣ１，Ｃ２で示す平面状の切断面で切断して、その両端部を平面状に形成するように構成したが、端部の形状は曲面状に形成するように構成してもよい。
【００４３】
そして、この立ち上がり壁３２は、ロータ２０が回転された際に、貫通孔３０を介してロータハウジング２３の外側から内側に流通された空気（気体）を軸２１側に向けて効果的に誘導し得るように、その形成される部分に特徴を有している。そして、立ち上がり壁３２により軸２１側に向けるように空気を対流させることにより、発熱部分であるコイル１３部分にも空気が誘導されて、より高い冷却効果を発揮させることができる。
【００４４】
すなわち、この立ち上がり壁３２は、例えば、図７（ａ）及び図７（ｂ）に示すように、形成されている。かかる立ち上がり壁３２は、貫通孔３０の縁部３０ａのうち、軸２１の半径方向の線により分割された半円のうちロータ２０の回転方向の後方に位置する側の半円の円弧の部分ＬＰＳに沿うように形成されている。すなわち、このような立ち上がり壁３２は、その円弧状の内面側に設けられた内側部３２ａが、回転方向Ｒと反対方向に対向することとなる。尚、図７（ｂ）は、図７（ａ）に示す立ち上がり壁３２及び後述の立ち上がり壁の両端部の位置を説明するための概念的な図であり、図中ＬＰＳは、貫通孔３０の縁部３０ａに沿った半円弧を示すものである。
【００４５】
そして、貫通孔３０の縁部３０ａの上述のような部分ＬＰＳに沿うように形成されている立ち上がり壁３２は、ロータハウジング２３の外側から内側に流入された空気を、より循環させる機能を有する。立ち上がり壁３２は、立ち上がり壁３２のその円弧状の内面側に設けられた内側部３２ａにより効果的にロータ２０の回転方向Ｒと略同方向に空気を送り出すことができ、ロータハウジング２３内部の空気を循環させる機能をより発揮することができる。
【００４６】
また、ここでは、立ち上がり壁を上述した半円の円弧の部分ＬＰＳに沿うように形成された場合の利点について説明したが、本発明を適用したファンモータ１を構成する立ち上がり壁は、これに限られるものではない。すなわち、このファンモータ１を構成する立ち上がり壁は、貫通孔３０を介して流入された空気をより循環させるとともに軸中心側に向けるように誘導するように構成、すなわち例えば図７（ｃ）〜図７（ｅ）に示すように構成してもよい。
【００４７】
すなわち、立ち上がり壁３２と略同様の構成を有するとともに、貫通孔３０を介してロータハウジング２３内に流入された空気をより軸２１側に向けるように誘導可能な立ち上がり壁は、例えば、図７（ｃ）に示すような立ち上がり壁３３として構成してもよい。図７（ｃ）に示す立ち上がり壁３３は、図７（ｂ）に示すような上述した半円の円弧の部分ＬＰＳを基準となる円弧として、この基準となる円弧ＬＰＳの両端部Ｅ１０，Ｅ２０のうち一方の端部の位置を変更した円弧に沿うように形成される。この立ち上がり壁３３は、両端部Ｅ１０，Ｅ２０のうち軸２１に近接する側の端部Ｅ１０が回転方向Ｒの後方側に位置するような端部Ｅ１１に位置するように形成される。すなわち、立ち上がり壁３３は、端部Ｅ１１と上述した端部Ｅ２０を有する円弧の部分Ｌ１に沿うように形成される。
【００４８】
また、立ち上がり壁３２と略同様の構成を有するとともに、貫通孔３０を介して流入された空気をより軸２１側に向けるように誘導可能な立ち上がり壁は、例えば、図７（ｄ）に示すような立ち上がり壁３４として構成してもよい。図７（ｄ）に示す立ち上がり壁３４は、図７（ｂ）に示すような基準となる円弧ＬＰＳに対して基準となる円弧ＬＰＳの両端部Ｅ１０，Ｅ２０のうち他方の端部の位置を変更した円弧に沿うように形成される。この立ち上がり壁３４は、両端部Ｅ１０，Ｅ２０のうち軸２１から離間する側の端部Ｅ２０が回転方向Ｒの前方側に位置するような端部Ｅ２１に位置するように形成される。すなわち、立ち上がり壁３４は、端部Ｅ２１と上述した端部Ｅ１０を有する円弧の部分Ｌ２に沿うように形成される。
【００４９】
さらに、立ち上がり壁３２と略同様の構成を有するとともに、貫通孔３０を介して流入された空気をより軸２１側に向けるように誘導可能な立ち上がり壁は、例えば、図７（ｅ）に示すような立ち上がり壁３５として構成してもよい。図７（ｅ）に示す立ち上がり壁３５は、図７（ｂ）に示すような基準となる円弧ＬＰＳに対して基準となる円弧ＬＰＳの両端部Ｅ１０，Ｅ２０の両方の位置を変更した円弧に沿うように形成される。この立ち上がり壁３５は、上述した端部Ｅ１１，Ｅ２１を有する円弧の部分Ｌ３に沿うように形成される。
【００５０】
以上で説明した変形例の立ち上がり壁３３，３４，３５は、立ち上がり壁３２と同様に、ロータハウジング２３の外側から貫通孔３０を介して内側に流入された空気を、より循環させる機能を有する。さらに、立ち上がり壁３３，３４，３５は、円弧状の内面側に設けられた内側部により効果的にロータ２０の回転方向Ｒに対してより軸側に向けて空気を送り出すことができ、ロータハウジング２３内部の空気を循環させる機能をより発揮することができる。
【００５１】
また、上述では、円弧部分ＬＰＳ，Ｌ１，Ｌ２，Ｌ３に沿うように形成された立ち上がり壁３２，３３，３４，３５の利点について説明したが、本発明を適用したファンモータ１を構成する立ち上がり壁は、これに限られるものではない。すなわち、ファンモータ１を構成する立ち上がり壁は、貫通孔３０を介して流入された空気をより循環させるとともに軸中心側に向けるように誘導するように構成、すなわち例えば図８及び図９に示すように湾曲形状に形成するように構成してもよい。
【００５２】
図８及び図９に示す立ち上がり壁３６は、各貫通孔３０毎に設けられ、軸に直交する断面形状において、各貫通孔３０の縁部のうち、ロータの回転方向の最も後方に位置する部分に沿って形成される基端部から回転方向前方側に向けた湾曲形状に形成されている。具体的に、この立ち上がり壁３６は、基端部３６ａから、この基端部３６ａに対して回転方向前方側に位置する先端部３６ｂに至るまで、貫通孔３０の孔形状の半径よりも大きな曲率を有して回転方向前方側に向けた湾曲形状に形成されている。ここで、この曲率は、孔形状の半径よりも大きな曲率とされているが、貫通孔３０の孔形状が円形でない場合には、貫通孔３０の孔形状よりも大きな円の半径よりも大きな曲率を有するようにされる。
【００５３】
そして、この立ち上がり壁３６は、軸に直交する断面形状において、先端部３６ｂが、基端部３６ａを通り軸を中心とした円よりも内側に位置するように形成されている。すなわち、先端部３６ｂと軸中心との距離が、基端部３６ａと軸中心との距離よりも小さくなるように形成されている。この構成により、立ち上がり壁３６は、基端部３６ａ側から先端部３６ｂへ向けて、すなわち、回転方向Ｒに対してより軸側に向けて空気を送りだすことを可能とする。尚、図８及び図９において貫通孔３０と立ち上がり壁３６の数は、これに限られるものではない。
【００５４】
以上で説明した変形例の立ち上がり壁３６は、立ち上がり壁３２，３３，３４，３５と同様に、ロータハウジング２３の外側から貫通孔３０を介して内側に流入された空気を、より循環させる機能を有する。さらに、立ち上がり壁３６は、ロータ２０の回転方向Ｒに対してより軸側に向けて空気を送り出すことができ、ロータハウジング２３内部の空気を循環させる機能をより発揮することができる。
【００５５】
以上のように本発明を適用したファンモータ１は、ステータ１０、ロータ２０、ファン３、コイル１３、ロータマグネット２７を備え、このロータ２０のロータハウジング２３の天板部２５にテーパを有する貫通孔３０が設けられている点に特徴を有する。このファンモータ１は、かかる貫通孔３０により、従来カップ状のハウジングによりコイルが設けられた部分が覆われていたことでコイルで発生した熱が溜まることにより回転性能が低下する等の問題を解消できる。すなわち、ファンモータ１は、テーパを有する貫通孔３０により、ファン３の回転により矢印Ａ方向にファンモータ１内に流入された空気流から、この貫通孔３０を介してロータハウジング内に導く矢印Ｂ方向の空気量を発生させることができる。そして、ファンモータ１は、貫通孔３０により効率的に空気をロータハウジング２３内に循環させることにより、ロータハウジング２３内部にコイルで発生した熱が溜まることを防止することができる。このように、ファンモータ１は、ロータハウジング２３内部にコイルで発生した熱が溜まることを防止して、コイルの温度上昇を防止して回転性能を高く保持することを実現する。よって、ファンモータ１は、ファンモータとしての冷却性能を高く保持することを実現する。
【００５６】
また、本発明を適用したファンモータ１は、貫通孔３０に加えて、ロータハウジング２３の天板部２５の内側の面２５ａに、貫通孔３０を介して内側に流入された空気をロータハウジング２３内で対流させる立ち上がり壁を有する点に特徴を有するものである。そして、上述した貫通孔３０及び立ち上がり壁３２，３３，３４，３５，３６を有するファンモータ１は、ロータハウジング２３内部の空気をより循環させることができる。すなわち、かかるファンモータ１は、貫通孔３０を介してロータハウジング２３内に流入した空気を、立ち上がり壁３２等によりロータ２０の回転方向又は回転方向に対して回転中心側、すなわち発熱部であるコイル１３側に導くことができる。これにより、ファンモータ１は、効率的にロータハウジング２３内に空気を循環させることができ、ロータハウジング２３内部に熱が溜まることを防止できる。よって、ファンモータ１は、ロータハウジング２３内部に熱が溜まることをより効果的に防止して、コイルの温度上昇を防止して回転性能・冷却性能を高く保持することを実現する。
【００５７】
尚、本発明を適用したファンモータは上述に限られるものではなく、例えば、上述した立ち上がり壁３２に換えて、また上述した立ち上がり壁３２等に加えて複数の溝部を有するように構成してもよい。
【００５８】
次に、ロータハウジング２３に例えば断面Ｖ字状の溝部３８を設けた例について図１０を用いて説明する。尚、図１０を用いて説明する例においては立ち上がり壁を設けないように構成したが、この溝部３８に加えて上述の立ち上がり壁３２，３３，３４，３５，３６のいずれかを設けるように構成してもよい。
【００５９】
図１０（ａ）及び図１０（ｂ）に示すように、ロータハウジング２３の内側の面には、各貫通孔３０を包囲するように円形状に沿って形成された複数の溝部３８が設けられている。この溝部３８は、図１０（ｃ）に示すように、各溝部の形成方向の断面形状が略Ｖ字状となるように形成されている。
【００６０】
この溝部３８は、貫通孔３０を介してロータハウジング２３内に流入した空気流に乱流が発生してしまうことを防止する。すなわち、溝部３８は、この溝部３８内に空気を流動させて空気の剥離を抑制し渦の発生を防止することができる。このように、渦の発生、すなわち乱流の発生を防止できることにより、その乱流による騒音を低減させることができる。尚、このファンモータ１を構成するロータハウジング２３に設けられる溝部は、Ｖ字状に限られるものではなく略矩形の断面や半円形等を含む湾曲形状に形成されるように構成してもよい。このような各貫通孔３０を包囲するように形成された溝部は、例えば、乱流等により発生した音と溝部内の空気とを共鳴させて音を共鳴吸収するように構成することも可能である。
【００６１】
以上のように本発明を適用したファンモータ１は、貫通孔３０に加えて、ロータハウジング２３の天板部２５の内側の面２５ａに、貫通孔３０をそれぞれ囲むように形成された複数の溝部３８を有する点に特徴を有するものである。そして、貫通孔３０及び溝部３８を有するファンモータ１は、上述のような放熱効果を発揮させるために、貫通孔３０を介して流入させた空気による騒音を防止できる。すなわち、かかるファンモータ１は、溝部３８により貫通孔３０を介して流入した空気流に渦・乱流が発生してしまうことを防止して乱流による騒音を低減することを実現する。よって、ファンモータ１は、貫通孔３０によりロータハウジング２３内部に熱が溜まることを防止して、回転性能及び冷却性能を高く保持するとともに、騒音等の発生を防止する。
【００６２】
尚、上述したように溝部３８を有するファンモータにおいても、上述した立ち上がり壁３２〜３６のいずれかを設けるように構成してもよい。この場合には、溝部３８を有することによる静音効果に加えて、立ち上がり壁による空気循環機能の増大によりコイルの温度上昇の防止効果を得ることができる。また、溝部３８と立ち上がり壁を設ける場合には、溝部３８の外側に立ち上がり壁を形成するようにしてもよく、また、立ち上がり壁３２〜３６の外側に溝部を形成するようにしてもよい。例えば、溝部３８と例えば立ち上がり壁３２と同様の形状の立ち上がり壁を設ける場合には、図１１（ａ）及び図１１（ｂ）に示すように、貫通孔３０を包囲するように形成された溝部３８の外側縁部３８ａに沿って立ち上がり壁を形成するように構成される。
【００６３】
また、本発明を適用したファンモータは上述に限られるものではなく、例えば、ロータハウジング２３の天板部にテーパ形状を設けるように構成してもよい。
【００６４】
次に、ロータハウジング２３に例えばテーパを有して形成された環状の凹部４１を有する天板部４０を設けた例について図１２〜図１５を用いて説明する。図１２〜図１５を用いて説明する例においては上述した図３に示す天板部２５に換えて天板部４０を設けたことを除いて、上述と同一の構成であるので、当該同一の構成部分については、共通の符号を付すとともに詳細な説明は省略する。尚、図１３は、図１４に示すＸ１−Ｘ２断面を示すものである。
【００６５】
図１２〜図１４に示すように、ロータハウジング２３の円筒部２４の一端側の開口部に設けられる一端面部としての天板部４０の外側の面４０ｂには、テーパ部４１ａ，４１ｂを有して形成された凹部４１が形成されている。この凹部４１は、軸に直交する平面内の形状が略環状（リング状）とされている。
【００６６】
そして、この天板部４０には、図１３及び図１４に示すように、この凹部４１に位置して、上述したロータハウジング２３の内側及び外側を空気が流通可能なように形成される複数の貫通孔３０が設けられている。また、この天板部４０は、外側の面４０ｂに凹部４１を形成することにより、内側の面４０ａには、この凹部４１に対応する位置に突部４２が形成されている。そして天板部４０は、図１４及び図１５に示すように、その内側の面４０ａであって凹部４１に対応する位置に、貫通孔を介してロータハウジング２３の外側から内側に流通された空気を軸２１側に向けるように誘導する複数の立ち上がり壁３２が設けられている。尚、ここでは、天板部４０の板厚を略均一とするように、内側の面４０ａに突部４２を設けるようにしたが、内側の面は、これに限られるものでなく、略平面状に形成してもよい。また、ここで、立ち上がり壁３２は、内側の面４０ａの突部４２に設けられているが、内側の面４０ａが平面状に形成される場合には、内側の面４０ａの凹部４１に対応する位置にこの立ち上がり壁３２が形成されることとなる。また、ここで、設けられる立ち上がり壁も、これに限られるものではなく、上述した立ち上がり壁３３〜３６やその他の形状の立ち上がり壁を形成するように構成してもよい。
【００６７】
また、ロータハウジング２３の天板部４０の外側の面４０ｂに設けられたテーパ部４１ａ，４１ｂは、貫通孔３０に形成されたテーパと角度は異なるが同じ向きに形成されている。これにより、ロータハウジング２３のテーパ部４１ａ，４１ｂは、流体の特性から、ロータハウジング２３の外側に存在する空気をロータハウジング２３の内側に向けて流入させやすいようにする機能を有している。そして、凹部４１を設けることにより形成されたこのテーパ部４１ａ，４１ｂは、貫通孔３０の空気を内部に流入させやすい機能を増強する効果を有している。これによりテーパ部４１ａ，４１ｂ及び貫通孔３０は、一層効率的にロータハウジング２３の外側から内側に送風すること、すなわち、ロータハウジング２３内の効率的な空気循環を行うことを可能とする。すなわち、テーパ部４１ａ，４１ｂ及び貫通孔３０は、ファンモータとして簡易な構成で、効率的にロータハウジング２３内部及びファンモータ１自体の温度上昇を防止することができる。さらに、この凹部４１が設けられた領域内に貫通孔３０を設けたことにより、貫通孔３０と発熱部分であるコイル１３との距離を近接させることを可能とする。換言するとこの凹部４１及び貫通孔３０は、貫通孔３０を介してロータハウジング２３内に導く空気をコイル１３に向けて送風することを可能として、効率的にロータハウジング２３内の温度上昇を防止することができる。
【００６８】
以上のように本発明を適用したファンモータ１は、貫通孔３０をロータハウジング２３の天板部４０にテーパ部４１ａ，４１ｂを有して形成された環状の凹部４１が設けられた範囲内に位置して設けられていることにより以下の効果を有するものである。すなわち、かかるファンモータ１は、貫通孔３０とテーパ部４１ａ，４１ｂにより、ファン３の回転によりファンモータ１内に流入された空気流から、この貫通孔３０を介してロータハウジング２３内に導く空気量をより効果的に発生させることができる。そしてファンモータ１は、貫通孔３０等により効率的に空気をロータハウジング２３内に循環させることにより、ロータハウジング２３内部にコイルで発生した熱が溜まることを防止することができる。また、ファンモータ１は、凹部４１及び貫通孔３０によりコイル１３等の発熱部分により効率的に空気を送風し、効率的にロータハウジング２３の温度上昇を防止することができる。このように、ファンモータ１は、ロータハウジング２３内部にコイルで発生した熱が溜まることを防止して、コイルの温度上昇を防止して回転性能・冷却性能を高く保持することを実現する。
【００６９】
また、このファンモータ１は、テーパ部４１ａ，４１ｂ及び貫通孔３０に加えて、立ち上がり壁３２を有することにより、ロータハウジング２３内部の空気をより循環させることができる。すなわち、かかるファンモータ１は、効率的にロータハウジング２３内に空気を循環させることができ、これにより、コイルの温度上昇を一層低減して回転性能・冷却性能を高く保持することを実現する。
【００７０】
尚、図１２〜図１５を用いて説明した例のファンモータにおいても、立ち上がり壁３２に換えて立ち上がり壁３３〜３６を設けるように構成してもよく、また、溝部３８を設けるように構成してもよい。かかる場合には、ここで説明したテーパ部４１ａ，４１ｂの効果に加えて、各立ち上がり壁３３〜３６及び／又は溝部３８の上述した効果が得られることとなる。
【００７１】
また、本発明を適用したファンモータにおける、天板部に設けられるテーパ形状は上述に限られるものではなく、例えば、以下のように構成してもよい。
【００７２】
次に、ロータハウジング２３に例えばテーパを有して形成された複数の凹部４６を有する天板部４５を設けた例について図１６〜図１８を用いて説明する。図１６〜図１８を用いて説明する例においては天板部４５以外の構成については、上述と同様であるので詳細な説明は省略する。また、天板部４５を設ける例における断面図は、上述した天板部４０を設けた場合の断面図を示す図１２と同様であるので、ここでは省略する。尚、図１６は、図１７に示すＸ３−Ｘ４断面を示すものである。
【００７３】
図１６〜図１８に示すように、ロータハウジング２３の円筒部２４の一端側の開口部に設けられる一端面部としての天板部４５の外側の面４５ｂには、後述の貫通孔３０毎にこれを設けるための、テーパ部４６ａを有して形成された複数の凹部４６が形成されている。この凹部４６は、それぞれ軸に直交する平面内の形状が略円形状とされている。
【００７４】
そして、この天板部４５には、図１６〜図１８に示すように、この複数の凹部４６内に位置して、それぞれ、上述したロータハウジング２３の内側及び外側を空気が流通可能なように形成される複数の貫通孔３０が設けられている。また、この天板部４５は、外側の面４５ｂに凹部４６を形成することにより、内側の面４５ａには、この凹部４６に対応する位置に突部４７が形成されている。尚、ここで説明する天板部４５は、立ち上がり壁を設けない例について説明するが、上述した天板部２５，４０と同様に、立ち上がり壁３２〜３６や溝部３８を設けるように構成してもよく、かかる構成とすることでそれぞれ上述した効果が得られるものである。
【００７５】
ロータハウジング２３の天板部４５の外側の面４５ｂに設けられたテーパ部４６ａは、貫通孔３０に形成されたテーパと同じ向きに形成されている。このテーパ部４６ａの角度は、貫通孔３０に形成されたテーパの角度と同じであっても異なる角度であってもよい。換言すると、これにより、ロータハウジング２３のテーパ部４６ａは、流体の特性から、ロータハウジング２３の外側に存在する空気をロータハウジング２３の内側に向けて流入させやすいようにする機能を有している。そして、凹部４６を設けることにより形成されたこのテーパ部４６ａは、貫通孔３０の空気を内部に流入させやすい機能を増強する効果を有している。これによりテーパ部４６ａ及び貫通孔３０は、一層効果的にロータハウジング２３の外側から内側に送風すること、すなわち、ロータハウジング２３内の効率的な空気循環を行うことを可能とする。すなわち、テーパ部４６ａ及び貫通孔３０は、ファンモータとして簡易な構成で、効率的にロータハウジング２３内部及びファンモータ１自体の温度上昇を防止することができる。さらに、この凹部４６が設けられた領域内に貫通孔３０を設けたことにより、貫通孔３０と発熱部分であるコイル１３との距離を近接させることを可能とする。換言するとこの凹部４６及び貫通孔３０は、貫通孔３０を介してロータハウジング２３内に導く空気をコイル１３に向けて送風することを可能として、効率的にロータハウジング２３内の温度上昇を防止することができる。
【００７６】
以上のように本発明を適用したファンモータ１は、貫通孔３０をそれぞれロータハウジング２３の天板部４５にテーパ部４６ａを有して形成された複数の凹部４６内に位置して設けられていることにより以下の効果を有するものである。かかるファンモータ１は、貫通孔３０とテーパ部４６ａにより、ファン３の回転によりファンモータ１内に流入された空気流から、この貫通孔３０を介してロータハウジング２３内に導く空気量をより効果的に発生させることができる。そしてファンモータ１は、貫通孔３０等により効率的に空気をロータハウジング２３内に循環させることにより、ロータハウジング２３内部にコイルで発生した熱が溜まることを防止することができる。また、ファンモータ１は、凹部４６及び貫通孔３０によりコイル１３等の発熱部分により効率的に空気を送風し、効率的にロータハウジング２３の温度上昇を防止することができる。このように、ファンモータ１は、ロータハウジング２３内部にコイルで発生した熱が溜まることを防止して、コイルの温度上昇を防止して回転性能・冷却性能を高く保持することを実現する。
【００７７】
さらに、本発明を適用したファンモータにおける、天板部に設けられるテーパ形状は上述に限られるものではなく、以下のように構成してもよい。
【００７８】
次に、ロータハウジング２３に例えばテーパを有して形成された円形状の突部５１を有する天板部５０を設けた例について図１９を用いて説明する。図１９を用いて説明する例においては天板部５０以外の構成については、上述と同様であるので詳細な説明は省略する。
【００７９】
図１９に示すように、ロータハウジング２３の円筒部２４の一端側の開口部に設けられる一端面部としての天板部５０の外側の面５０ｂには、テーパ部５１ａを有して形成された円形状の突部（凸部）５１が形成されている。この突部５１は、軸に直交する平面内の形状が略円形状とされ、且つ軸中心を中心とした円形状とされている。
【００８０】
そして、この天板部５０には、この突部５１のテーパ部５１ａが設けられた領域の外側に近接した位置に位置して、上述したロータハウジング２３の内側及び外側を空気が流通可能なように形成される複数の貫通孔３０が設けられている。また、この天板部５０は、その内側の面５０ａであって、貫通孔３０が設けられた位置に、貫通孔３０を介してロータハウジング２３の外側から内側に流通された空気を軸２１側に向けるように誘導する複数の立ち上がり壁３２が設けられている。尚、ここで設けられる立ち上がり壁は、これに限られるものではなく、上述した立ち上がり壁３３〜３６やその他の形状の立ち上がり壁を形成するように構成してもよい。さらに、上述した溝部３８を設けるように構成してもよい。これらを設けることでそれぞれ上述した効果が得られるものである。
【００８１】
ロータハウジング２３の天板部５０の外側の面５０ｂに設けられたテーパ部５１ａは、貫通孔３０に形成されたテーパと同じ向きに形成されている。このテーパ部５１ａの角度は、貫通孔３０に形成されたテーパの角度と同じであっても異なる角度であってもよい。換言すると、これにより、ロータハウジング２３のテーパ部５１ａは、流体の特性から、ロータハウジング２３の外側に存在する空気をロータハウジング２３の内側に向けて流入させやすいようにする機能を有している。そして、突部５１を設けることにより形成されたこのテーパ部５１ａは、貫通孔３０の空気を内部に流入させやすい機能を増強する効果を有している。これによりテーパ部５１ａ及び貫通孔３０は、一層効果的にロータハウジング２３の外側から内側に送風すること、すなわち、ロータハウジング２３内の効率的な空気循環を行うことを可能とする。すなわち、テーパ部５１ａ及び貫通孔３０は、ファンモータとして簡易な構成で、効率的にロータハウジング２３内部及びファンモータ１自体の温度上昇を防止することができる。
【００８２】
以上のように本発明を適用したファンモータ１は、貫通孔３０をそれぞれロータハウジング２３の天板部５０にテーパ部５１ａを有して形成された突部５１内に位置して設けられていることにより以下の効果を有するものである。かかるファンモータ１は、貫通孔３０とテーパ部５１ａにより、ファン３の回転によりファンモータ１内に流入された空気流から、この貫通孔３０を介してロータハウジング２３内に導く空気量をより効果的に発生させることができる。そしてファンモータ１は、貫通孔３０等により効率的に空気をロータハウジング２３内に循環させることにより、ロータハウジング２３内部にコイルで発生した熱が溜まることを防止することができる。このように、ファンモータ１は、ロータハウジング２３内部にコイルで発生した熱が溜まることを防止して、コイルの温度上昇を防止して回転性能・冷却性能を高く保持することを実現する。
【００８３】
また、このファンモータ１は、テーパ部５１ａ及び貫通孔３０に加えて、立ち上がり壁３２を有することにより、ロータハウジング２３内部の空気をより循環させることができる。すなわち、かかるファンモータ１は、効率的にロータハウジング２３内に空気を循環させることができ、これにより、コイルの温度上昇を一層低減して回転性能・冷却性能を高く保持することを実現する。
【００８４】
尚、上述の図１〜図１９を用いて説明したファンモータではテーパ状に形成された貫通孔３０を有するものとして説明したが、本発明を適用したファンモータは、これに限られるものではない。すなわち、本発明を適用したファンモータは、テーパ状ではなく略円筒状に形成された貫通孔と立ち上がり壁とを有するように構成してもよい。
【００８５】
次に、ロータハウジング２３の天板部２５に円筒状の貫通孔６０を設けた例について図２０及び図２１を用いて説明する。図２０及び図２１を用いて説明する例においては上述した図１〜図１９を用いて説明したファンモータにおける貫通孔３０に換えて貫通孔６０を設けたことを除いて、上述と同一であるので、当該同一の構成部分については、共通の符号を付すとともに詳細な説明は省略する。
【００８６】
図２０及び図２１に示すように、上述したロータハウジング２３の一端面部である天板部２５には、カップ状に形成されたロータハウジング２３の内側及び外側を空気が流通可能なように形成される複数の貫通孔６０が設けられる。
【００８７】
天板部２５を貫通するように設けられる貫通孔６０は、その孔の軸２１の軸方向の断面が略円形状に形成されるとともに、ロータハウジング２３の内側から外側に至るまでそれぞれの断面形状における孔の大きさが略等しくなるように円筒状に形成されている。この貫通孔６０が設けられていない場合には、ロータハウジング２３内部の空気が循環しないことにより、このロータハウジング２３内部に設けられたコイル１３の通電により発生した熱がロータハウジング２３内に溜まるという問題がある。これに対し、貫通孔６０は、ロータハウジング２３の内側及び外側を流通可能なように設けられていたことにより、ロータハウジング２３内部の空気がこの貫通孔６０と、円筒部２４の他端側の開口部とにより循環させることを可能とする。このように、貫通孔６０は、開口部８からファンモータ１内に吸い込んだ空気の一部をロータハウジング２３内に取り込む空気流通孔として機能する。すなわち、この貫通孔６０は、ロータハウジング２３内部に熱が溜まること、及びこのロータハウジング２３内部に熱が溜まることによりファンモータ１自体に熱が溜まることを防止する機能を有している。
【００８８】
また、このような貫通孔６０が設けられたロータハウジング２３の天板部２５には、その内側の面２５ａに、貫通孔６０を介してロータハウジング２３の外側から内側に流通された空気を軸２１側に向けるように誘導する複数の立ち上がり壁３２が設けられている。この立ち上がり壁３２は、図２０及び図２１に示すように、天板部２５の内側の面２５ａにおいて、略円形状に形成された各貫通孔６０の縁部６０ａに沿って形成されている。
【００８９】
図２１に示すように、立ち上がり壁３２は、天板部２５に対して直交する方向、すなわち軸方向に立ち上がり形成されているが、その立ち上がり方向である形成方向に直交する断面形状が所定の幅を有する略円弧形状となるように形成されている。また、この立ち上がり壁３２は、上述した図７を用いて説明したのと同様の構成を有している。
【００９０】
そして、この立ち上がり壁３２は、ロータ２０が回転された際に、貫通孔６０を介してロータハウジング２３の外側から内側に流通された空気を軸２１側に向けて効果的に誘導し得るように、その形成される部分に特徴を有している。そして、立ち上がり壁３２により軸２１側に向けるように空気を対流させることにより、発熱部分であるコイル１３部分にも空気が誘導されて、より高い冷却効果を発揮させることができる。
【００９１】
すなわち、この立ち上がり壁３２は、例えば、貫通孔６０の縁部６０ａのうち、軸２１の半径方向の線により分割された半円のうちロータ２０の回転方向の後方に位置する側の半円の円弧の部分ＬＰＳに沿うように形成されている（図７（ａ）及び図７（ｂ）参照）。すなわち、このような立ち上がり壁３２は、その円弧状の内面側に設けられた内側部３２ａが、回転方向Ｒと反対方向に対向することとなる。
【００９２】
そして、貫通孔６０の縁部６０ａの上述のような部分ＬＰＳに沿うように形成されている立ち上がり壁３２は、ロータハウジング２３の外側から内側に流入された空気を、より循環させる機能を有する。立ち上がり壁３２は、立ち上がり壁３２のその円弧状の内面側に設けられた内側部３２ａにより効果的にロータ２０の回転方向Ｒと略同方向に空気を送り出すことができ、ロータハウジング２３内部の空気を循環させる機能をより発揮することができる。
【００９３】
また、ここでは、立ち上がり壁を上述した半円の円弧の部分ＬＰＳに沿うように形成された場合の利点について説明したが、本発明を適用したファンモータ１を構成する立ち上がり壁は、これに限られるものではない。すなわち、このファンモータ１を構成する立ち上がり壁は、貫通孔６０を介して流入された空気をより循環させるとともに軸中心側に向けるように誘導するように構成してもよい。立ち上がり壁３２に換えて例えば図７（ｂ）〜図７（ｅ）、図８及び図９を用いて説明した立ち上がり壁３３〜３６のいずれかを設けるように構成してもよい。
【００９４】
以上のように本発明を適用したファンモータ１は、ステータ１０、ロータ２０、ファン３、コイル１３、ロータマグネット２７を備え、このロータ２０のロータハウジング２３の天板部２５に円筒状の貫通孔６０が設けられている点に特徴を有する。このファンモータ１は、かかる貫通孔６０により、従来カップ状のハウジングによりコイルが設けられた部分が覆われていたことでコイルで発生した熱が溜まることにより回転性能が低下する等の問題を解消できる。そして、ファンモータ１は、貫通孔６０により空気をロータハウジング２３内に循環させることにより、ロータハウジング２３内部にコイルで発生した熱が溜まることを防止することができる。このように、ファンモータ１は、ロータハウジング２３内部にコイルで発生した熱が溜まることを防止して、コイルの温度上昇を防止して回転性能を高く保持することを実現する。よって、ファンモータ１は、ファンモータとしての冷却性能を高く保持することを実現する。
【００９５】
また、本発明を適用したファンモータ１は、貫通孔６０に加えて、ロータハウジング２３の天板部２５の内側の面２５ａに、貫通孔６０を介して内側に流入された空気をロータハウジング２３内で対流させる立ち上がり壁を有する点に特徴を有するものである。そして、上述した貫通孔６０及び立ち上がり壁３２，３３，３４，３５，３６を有するファンモータ１は、ロータハウジング２３内部の空気をより循環させることができる。すなわち、ファンモータ１は、立ち上がり壁３２等により、ファン３の回転により矢印Ａ方向にファンモータ１内に流入された空気流から、貫通孔６０を介してロータハウジング内に導く矢印Ｂ方向の空気量を発生させることができる。そして、かかるファンモータ１は、貫通孔６０を介してロータハウジング２３内に流入した空気を、立ち上がり壁３２等によりロータ２０の回転方向又は回転方向に対して回転中心側、すなわち発熱部であるコイル１３側に導くことができる。これにより、ファンモータ１は、効率的にロータハウジング２３内に空気を循環させることができ、ロータハウジング２３内部に熱が溜まることを防止できる。よって、ファンモータ１は、ロータハウジング２３内部に熱が溜まることをより効果的に防止して、コイルの温度上昇を防止して回転性能・冷却性能を高く保持することを実現する。
【００９６】
尚、図２０及び図２１で説明したような貫通孔６０を有するファンモータにおいても、図１１を用いて説明したように複数の溝部３８を有するように構成してもよい。さらに、かかる貫通孔６０を有するファンモータにおいても、図１２〜図１９を用いて説明したようにロータハウジング２３の天板部にテーパ形状を設けるように構成してもよい。
【００９７】
本発明を適用した電子機器１００は、筐体１０３内部に空気流を発生させて筐体１０３内部で発生する熱を放熱するファンモータを備えるものであり、このファンモータとして上述したファンモータ１を用いるものである。よって、かかる電子機器１００は、ファンモータ１のロータハウジング２３内に熱が溜まることを防止して、ファンモータ１の回転性能及び冷却性能を高く保持することにより、装置内部の温度を常に適正に保つことを実現する。
【図面の簡単な説明】
【００９８】
【図１】本発明を適用したファンモータの斜視図である。
【図２】本発明を適用したファンモータを構成する本体ケース及びファンを示す分解斜視図である。
【図３】本発明を適用したファンモータの断面図である。
【図４】本発明を適用したファンモータを用いた電子機器の構成を示す斜視図である。
【図５】本発明を適用したファンモータを構成するファン及びロータハウジングの図２と反対方向からの斜視図である。
【図６】本発明を適用したファンモータを構成するロータハウジング及び立ち上がり壁の構成を示す図であり、（ａ）は、ロータハウジングの断面図であり、（ｂ）は、ロータハウジングの底面図である。
【図７】ロータハウジングの内面に設けられる立ち上がり壁の構成について説明する図であり、（ａ）は、図６に示す立ち上がり壁を拡大して示す拡大平面図であり、（ｂ）は、（ａ）及び（ｃ）〜（ｅ）に示す立ち上がり壁の両端部の位置について説明するための図である。また、（ｃ）は、立ち上がり壁の他の例を示す平面図であり、（ｄ）は、立ち上がり壁の更に他の例を示す平面図であり、（ｅ）は、立ち上がり壁の更に他の例を示す平面図である。
【図８】本発明を適用したファンモータを構成するロータハウジング及び立ち上がり壁のさらに他の例の構成を示す図であり、ファン及びロータハウジングの、ロータハウジングの内面側に向けた斜視図である。
【図９】図８に示すロータハウジング及び立ち上がり壁をさらに説明するための図であり、ロータハウジングの底面図である。
【図１０】本発明を適用したファンモータを構成するロータハウジングの内面に溝部を設けた例の構成を示す図であり、（ａ）は、ロータハウジングの断面図であり、（ｂ）は、ロータハウジングの底面図であり、（ｃ）は、貫通孔及び溝部を詳細に示す拡大断面図である。
【図１１】図６で説明した立ち上がり壁と図１０で説明した溝部とを同時に設けるように構成した場合を示す図であり、（ａ）は、ロータハウジングの底面図であり、（ｂ）は、貫通孔、溝部及び立ち上がり壁を詳細に示す拡大断面図である。
【図１２】本発明を適用したファンモータの、ロータハウジング外面にテーパを設けた例を示す図であり、ファンモータの断面図である。
【図１３】図１２に示すファンモータを構成するロータハウジング及び立ち上がり壁の構成を示す図であり、ロータハウジングの断面図である。
【図１４】図１２に示すファンモータを構成するロータハウジング及び立ち上がり壁の構成を示す図であり、ロータハウジングの底面図である。
【図１５】図１２に示すロータハウジングの内面側の状態を示す斜視図である。
【図１６】本発明を適用したファンモータの、ロータハウジング外面にテーパを設けた他の例について説明するための図であり、ロータハウジングの断面図である。
【図１７】本発明を適用したファンモータの、ロータハウジング外面にテーパを設けた他の例について説明するための図であり、図１６に示すロータハウジングの底面図である。
【図１８】図１６に示すロータハウジングの内面側の状態を示す斜視図である。
【図１９】本発明を適用したファンモータの、ロータハウジング外面にテーパを設けた更に他例を示す図であり、ロータハウジングの断面図である。
【図２０】本発明を適用したファンモータの円筒状の貫通孔を設けた例を示す断面図である。
【図２１】図２０に示すファンモータを構成するロータハウジング及び立ち上がり壁の構成を示す図であり、（ａ）は、ロータハウジングの断面図であり、（ｂ）は、ロータハウジングの底面図である。
【符号の説明】
【００９９】
１  ファンモータ、  ２  本体ケース、  ３  ファン、  ４  羽根部材、  ５  モータ部、  ５ａ  基板、  ６  上面部、  ７  下面部、  ８  開口部、  ９  開口部、  １０  ステータ、  １１  ステータハウジング、  １２  軸受ユニット、  １３  コイル、  １４  鉄心、  １５  ホルダー、  １６  ラジアル軸受、  １７  スラスト軸受、  ２０  ロータ、  ２１  軸、  ２２  軸受支持部、  ２３  ロータハウジング、  ２４  円筒部、  ２５  天板部、２６  磁性ヨーク、  ２７  ロータマグネット、  ３０  貫通孔、  ３０ａ  縁部、  ３２〜３６  立ち上がり壁、  ３６ａ  基端部、  ３６ｂ  先端部、  ３８  溝部、  ４１  凹部、  ４１ａ，４１ｂ  テーパ部、  ４６  凹部、  ５１  突部、  ５１ａ  テーパ部、  １００  電子機器
【図１】
2010001839.tif 000003
【図２】
2010001839.tif 000004
【図３】
2010001839.tif 000005
【図４】
2010001839.tif 000006
【図５】
2010001839.tif 000007
【図６】
2010001839.tif 000008
【図７】
2010001839.tif 000009
【図８】
2010001839.tif 000010
【図９】
2010001839.tif 000011
【図１０】
2010001839.tif 000012
【図１１】
2010001839.tif 000013
【図１２】
2010001839.tif 000014
【図１３】
2010001839.tif 000015
【図１４】
2010001839.tif 000016
【図１５】
2010001839.tif 000017
【図１６】
2010001839.tif 000018
【図１７】
2010001839.tif 000019
【図１８】
2010001839.tif 000020
【図１９】
2010001839.tif 000021
【図２０】
2010001839.tif 000022
【図２１】
2010001839.tif 000023